(57)【要約】【課題】  給水配管が設置される壁パネルの外方の有効利用を図るとともに、浴槽の寸法がカウンターによって制限されない浴室壁パネルの構造を提供する。【解決手段】  天井パネル２より床パネル４へ垂設される壁パネル３を貫通して浴室外方の給水配管６と浴室内方の水栓７とが接続される浴室壁パネルの構造１であって、壁パネル３は、浴槽５の上端縁部５２より外方に延出されるフランジ５１よりも低い位置で浴室内方に張り出した段部３２が形成され、段部３２を貫通して給水配管６と水栓７とが接続される。【選択図】図１
2006144447.tif 000002
【特許請求の範囲】
【請求項１】
天井パネルより床パネルへ垂設される壁パネルを貫通して浴室外方の給水配管と浴室内方の水栓とが接続される浴室壁パネルの構造であって、壁パネルは、浴槽の上端縁部より外方に延出されるフランジよりも低い位置で浴室内方に張り出した段部が形成され、段部を貫通して給水配管と水栓とが接続されることを特徴とする浴室壁パネルの構造。
【請求項２】
給水配管と水栓とは、段部及びフランジを貫通して接続されることを特徴とする請求項１に記載の浴室壁パネルの構造。
【発明の詳細な説明】
【技術分野】
【０００１】
本発明は、天井パネルより床パネルへ垂設される壁パネルを貫通して浴室外方の給水配管と浴室内方の水栓とが接続される浴室壁パネルの構造に関するものである。
【背景技術】
【０００２】
従来から、天井パネルより床パネルへ垂設される壁パネルを貫通して浴室外方の給水配管と浴室内方の水栓とが接続される浴室壁パネルの構造については、壁パネルは、浴槽のフランジの外縁に接する、略平板体として形成されているものが知られている。これについては、給水配管は壁パネルが外方に面する間仕切り壁の内部に設置されることとなり、この空間を給水配管の設置スペースのみとして利用せざるを得なくなり、間仕切り壁の内部の有効利用がなされていなかった。
【０００３】
これに対する技術として、特開平１０−１８３７２号公報（特許文献１）に記載のものが知られている。これは、図４に示す如く、給水配管６が浴室内方に設けたカウンター１３内に設置されるもので、従来の平板状の壁パネル９が外方に面する間仕切り壁８の内部の有効利用を図るものである。
【特許文献１】特開平１０−１８３７２号公報
【発明の開示】
【発明が解決しようとする課題】
【０００４】
しかしながら、従来の平板状の壁パネル９の配置は、従来の平板状の壁パネル９が外方に面する位置決め固定された間仕切り壁８の配置の内方に制限されることになるが、上記構成では、カウンター１３の天板は、浴槽５の上端縁部５２と略面一になるように設けられているので、壁パネル９で囲まれた浴室の内方にカウンター１３と浴槽５を設置する場合に、浴槽５の寸法がカウンター１３と干渉する部分だけ制限されていた。
【０００５】
本願発明は、上記背景技術に鑑みてなされたものであり、その課題は、給水配管が設置される壁パネルの外方の有効利用を図るとともに、浴槽の寸法がカウンターによって制限されない浴室壁パネルの構造を提供することである。
【課題を解決するための手段】
【０００６】
上記課題を解決するために、本願発明は、天井パネルより床パネルへ垂設される壁パネルを貫通して浴室外方の給水配管と浴室内方の水栓とが接続される浴室壁パネルの構造であって、壁パネルは、浴槽の上端縁部より外方に延出されるフランジよりも低い位置で浴室内方に張り出した段部が形成され、段部を貫通して給水配管と水栓とが接続されることを特徴とする浴室壁パネルの構造である。
【発明の効果】
【０００７】
本願発明によれば、壁パネルは、浴槽の上端縁部より外方に延出されるフランジよりも低い位置で浴室内方に張り出した段部が形成され、段部を貫通して給水配管と水栓とが接続されているので、段部をフランジの下方に配置し、その段部の下方空間にすべての給水配管を設置することが可能となり、段部を張り出していない壁パネルの平板部が外方に面する間仕切り壁の内部が全くの空洞となるので、その内部の空間を有効利用することができ、併せて、従来技術のカウンター１３を設けた図４の場合のように、浴槽の寸法がカウンターによって制限されない。
【発明を実施するための最良の形態】
【０００８】
本願の請求項１及び２に対応した浴室壁パネルの構造１の一実施形態を図１〜図３により説明する。
【０００９】
本実施形態の浴室壁パネルの構造１は、図１〜図３に示す如く、天井パネル２より床パネル４へ垂設される壁パネル３を貫通して浴室外方の給水配管６と浴室内方の水栓７とが接続される浴室壁パネルの構造１であって、壁パネル３は、浴槽５の上端縁部５２より外方に延出されるフランジ５１よりも低い位置で浴室内方に張り出した段部３２が形成され、段部３２を貫通して給水配管６と水栓７とが接続される。
【００１０】
また、給水配管６と水栓７とは、段部３２とともに、さらにフランジ５１も貫通して接続される。
【００１１】
以下、本実施形態による浴室壁パネルの構造１を、より具体的詳細に説明する。
【００１２】
最初に壁パネル３について、説明する。これは図１〜図３に示す如く、平板部３１と、平板部３１の下方に設けられた段部３２と、で構成される薄肉の折れ板状の部材である。
【００１３】
段部３２は、壁パネル３が浴室として組立てられた状態において、浴槽５のフランジ５１の外縁下端部５１ｃよりも低い位置で浴室内方に向かって床パネル４と略平行に延びる上面部３２aと、上面部３２aが浴槽５と近接する位置で床パネル４方向に向かって上面部３２aと略直交に垂れる側面部３２ｂと、で形成される。また側面部３２ｂの下端部は床パネル４との取り合いが容易となるように、床パネル４の端部の形状に合わせて鉤状に加工されている。ここで段部３２は浴槽５に面する箇所から洗い場に面する箇所まで壁パネル３の幅方向全域にわたって設けられており、浴槽５に面する箇所については、図１に示す如く、上面部３２aに給水配管６が貫通する孔が設けられている。また段部３２のうち、洗い場に面する箇所については、図２に示す如く、側面部３２ｂに給水配管６が貫通する孔が設けられている。
【００１４】
次に、壁パネル３を用いた浴室壁パネルの構造１の組立て方法について説明する。まず床パネル４に、浴室手前の壁パネル１１、浴室奥側の壁パネル１２及び従来の平板状の壁パネル９並びに壁パネル３は、端部に加工された鍵状部が係合されるように建て込まれる。なお、各パネル間は接続金具、接着剤、その他の通常の方法によって連結され、固定される。この場合、壁パネル３は、これに外方で面する間仕切り壁１０を位置決め固定する柱の浴室側面に設置され、間仕切り壁１０の内部が全くの空洞となる。
【００１５】
そして、浴室手前の壁パネル１１、浴室奥側の壁パネル１２及び従来の平板状の壁パネル９並びに壁パネル３の上端部は、天井パネル２に係合される。なお、各パネル間は接続金具、接着剤、その他の通常の方法によって連結され、固定される。
【００１６】
そして、浴槽５は、その一辺が浴室奥側の壁パネル１２に接するように設置される。この状態で、浴槽５の壁パネル３に面するフランジ５１の外周面部５１ｂは、壁パネル３に接することとなる。
【００１７】
さらに、浴槽５においては、浴槽５のフランジ５１の上面部５１ａに設けられた給水配管６が貫通する孔と、段部３２の上面部３２aに設けられた給水配管６が貫通する孔とを、介して水栓７と給水配管６が接続される。また洗い場においては、段部３２の側面部３２ｂに設けられた給水配管６が貫通する孔を介して水栓７と給水配管６とが接続される。
【００１８】
そして、浴槽５の洗い場に面する部分に化粧板１０が取り付けられる。
【００１９】
従って、本実施形態によれば、壁パネル３は、浴槽５の上端縁部５２より外方に延出されるフランジ５１よりも低い位置で浴室内方に張り出した段部３２が形成され、段部３２を貫通して給水配管６と水栓７とが接続されているので、段部３２をフランジ５１の下方に配置し、その段部３２の下方空間にすべての給水配管６を設置することが可能となり、段部３２を張り出していない壁パネル３の平板部３１が外方に面する間仕切り壁８の内部が全くの空洞となるので、その内部の空間を有効利用することができ、併せて、従来技術のカウンター１３を設けた図４の場合のように、浴槽の寸法がカウンターによって制限されない。
【００２０】
また、本実施形態によれば、水栓７は浴槽５のフランジ５１の上面部５１ａに設けられることとなり、壁パネル３からの水栓７の持ち出し長さを、カウンター１３を設けた従来技術の図４の場合に比べて、小さくすることができ、操作性及び外観が好ましいものとなる。
【００２１】
なお、本実施形態では、壁パネル３は一体物として構成されているが、壁パネル３を鉛直面で仕切ることでなる複数のユニットを組み合わせることで壁パネル３を構成することとしてもよい。この場合、各壁パネルユニットの部品が共通化され、少ない部品点数で種々の浴室の大きさに対応することができる。
【図面の簡単な説明】
【００２２】
【図１】本願発明の一実施形態のＡ−Ａ断面図
【図２】同上のＢ−Ｂ断面図
【図３】同上の一実施形態のＣ−Ｃ断面図
【図４】従来例の浴室壁パネルの構造の縦断面図
【符号の説明】
【００２３】
１    浴室壁パネルの構造
２    天井パネル
３    壁パネル
３２    段部
４    床パネル
５    浴槽
５    フランジ
５２    上端縁部
６    給水配管
７    水栓
【図１】
2006144447.tif 000003
【図２】
2006144447.tif 000004
【図３】
2006144447.tif 000005
【図４】
2006144447.tif 000006